(57)【特許請求の範囲】
【請求項１】
デュアルバンドのマイクロストリップアンテナであって、該デュアルバンドマイクロストリップアンテナは、
グラウンド部材（３０）と、
概ね互いに平行で前記グラウンド部材から離間された第１および第２の部分を有するパッチ手段であって、第１の部分はアンテナ信号フィードラインが接続され、グラウンド部材に直接接続されず、第２の部分はグラウンド部材に接続される、パッチ手段と、を具備し、
前記パッチ手段とグラウンド部材は、アンテナがアクティブのときに前記パッチ手段と前記グラウンド部材との間の電磁相互作用による第１および第２の共振周波数レンジをアンテナが有するように構成され、
前記パッチ手段の前記第１および第２の部分の導電面は、加工前のアンテナがアクティブなときに導電面において検出され得る電流フローのパターンに実質的に相当するように加工され、
前記パッチ手段の前記第１の部分は第１パッチ（３２）であり、前記パッチ手段の前記第２の部分は各々が前記第１パッチの各対向する側面に隣接して位置する１対の第２パッチ（３４）である、
ことを特徴とするデュアルバンドマイクロストリップアンテナ。
【請求項２】
前記グラウンド部材（３０）の導電面は、加工前のアンテナがアクティブなときにグラウンド部材導電面において検出され得る電流フローのパターンに実質的に相当するように加工される、請求項１のデュアルバンドマイクロストリップアンテナ。
【請求項３】
前記グラウンド部材は矩形の外形状を有し、前記パッチ手段の側面と一端はそれぞれ前記グラウンド部材の側面と一端に合わされる、請求項１のデュアルバンドマイクロストリップアンテナ。
【請求項４】
前記パッチ手段の各第１パッチおよび第２パッチの一端は前記パッチ手段の前記一端に対応し、アンテナ信号フィードラインが前記第１パッチ（３２）上の概ね中央位置に接続され、短絡部材（３６）が前記第２パッチの一端と前記グラウンド部材（３０）に最も近い点において、各第２パッチ（３４）から前記グラウンド部材（３０）に延伸する、請求項３のデュアルバンドマイクロストリップアンテナ。
【請求項５】
デュアルバンドのマイクロストリップアンテナであって、該デュアルバンドマイクロストリップアンテナは、
グラウンド部材（３０）と、
前記グラウンド部材と概ね平行に離間した関係を有するパッチ手段の第１および第２の部分であって、第１および第２共振周波数レンジは前記パッチ手段と前記グラウンド部材との間の電磁相互作用により定義される、第１および第２の部分と、を具備し、
前記パッチ手段の側面および一端は前記グラウンド部材の側面および一端とそれぞれ合わされ、
前記パッチ手段の前記第１の部分は第１パッチ（３２）であり、前記パッチ手段の前記第２の部分は１対の第２パッチ（３４）であり、各第２パッチは前記第１パッチの各対向する側面に隣接する側面を有し、各第１および第２パッチの一端は前記パッチ手段の一端に相当し、
アンテナ信号フィードラインが前記第１パッチの概ね中央位置に接続され、
前記第１パッチはグラウンド部材に直接接続されず、
短絡部材が、前記第２パッチの一端と前記グラウンド部材に最も近い点において各第２パッチから前記グラウンド部材に延伸し、
前記第１パッチおよび第２パッチ（３２，３４）の導電面は、加工前のアンテナがアクティブなときに導電面において検出され得る電流フローのパターンに実質的に相当するように構成される、
ことを特徴とするデュアルバンドマイクロストリップアンテナ。
【請求項６】
各第２パッチ（３４）は前記第１パッチの長さに近似する長さを有し、前記第１パッチ（３２）の１／２の幅に近似する幅を有する、請求項４のデュアルバンドマイクロストリップアンテナ。
【請求項７】
各第２パッチ（３４）は前記第１パッチ（３２）の長さに近似する長さを有し、前記第１パッチの幅の１／２に近似する幅を有する、請求項５のデュアルバンドマイクロストリップアンテナ。
【請求項８】
前記第１パッチ（３２）は概ね'Ｈ'として構成され、前記第１パッチの側面は'Ｈ'の側面部材に相当する、請求項６のデュアルバンドマイクロストリップアンテナ。
【請求項９】
前記第１パッチ（３２）は概ね'Ｈ'として構成され、前記第１パッチの側面は'Ｈ'の側面部材に相当する、請求項７のデュアルバンドマイクロストリップアンテナ。
【請求項１０】
前記グラウンド部材（３０）の導電面は間隙がある概ね矩形の構造として構成され、アンテナ信号フィードライン（３８）が前記第１パッチに接続する位置の突出部において、前記構造の側面間に橋架部が延伸する、請求項４のデュアルバンドマイクロストリップアンテナ。
【請求項１１】
前記グラウンド部材の導電面は２つの側面部材および他の一端の部材により定義され、アンテナ信号フィードラインが前記第１パッチに接続する位置の突出部において前記２つの側面部材間に橋架部が延伸し、前記第１パッチの前記側面部材の延伸は前記パッチ手段の一端から前記グラウンド部材の平面そして橋架部に向けた距離の途中まで前記グラウンド部材の面に延伸する、請求項８のデュアルバンドマイクロストリップアンテナ。
【請求項１２】
前記グラウンド部材の導電面は２つの側面部材および他の一端の部材により定義され、アンテナ信号フィードラインが前記第１パッチに接続する位置の突出部において前記２つの側面部材間に橋架部が延伸し、前記第１パッチの前記側面部材の延伸は前記パッチ手段の一端から前記グラウンド部材の平面そして橋架部に向けた距離の途中まで前記グラウンド部材の面に延伸する、請求項９のデュアルバンドマイクロストリップアンテナ。
【請求項１３】
同軸ケーブルのグラウンド部分がグラウンド部材の橋架部に接続され、前記ケーブルの信号フィード部分が前記第１パッチに取り付けられたアンテナ信号フィードラインを定義するように同軸ケーブルが前記アンテナに取り付けられる、請求項１０のデュアルバンドマイクロストリップアンテナ。
【請求項１４】
同軸ケーブルのグラウンド部分がグラウンド部材の橋架部に接続され、前記ケーブルの信号フィード部分が前記第１パッチに取り付けられたアンテナ信号フィードラインを定義するように同軸ケーブルが前記アンテナに取り付けられる、請求項１１のデュアルバンドマイクロストリップアンテナ。
【請求項１５】
同軸ケーブルのグラウンド部分がグラウンド部材の橋架部に接続され、前記ケーブルの信号フィード部分が前記第１パッチに取り付けられたアンテナ信号フィードラインを定義するように同軸ケーブルが前記アンテナに取り付けられる、請求項１２のデュアルバンドマイクロストリップアンテナ。
【請求項１６】
前記アンテナは一方側に導電層を有する印刷回路基板から形成され、前記グラウンド部材の導電面は前記回路基板の第１のセグメントの一方側の前記導電層の部分を除去することにより形成され、前記パッチ手段の導電面は前記回路基板の第２のセグメントの一方側の前記導電層の部分を除去することにより形成され、前記回路基板の第１および第２セグメントは並行に離間した関係を有して取り付けられ、短絡部材が前記グラウンド部材と、前記グラウンド部材の一端と前記第２パッチに最も近い前記第２パッチとの間に印加される、請求項１０のデュアルバンドマイクロストリップアンテナ。
【請求項１７】
前記アンテナは一方側に導電層を有する印刷回路基板から形成され、前記グラウンド部材の導電面は前記回路基板の第１のセグメントの一方側の前記導電層の部分を除去することにより形成され、前記パッチ手段の導電面は前記回路基板の第２のセグメントの一方側の前記導電層の部分を除去することにより形成され、前記回路基板の第１および第２セグメントは並行に離間した関係を有して取り付けられ、短絡部材が前記グラウンド部材の一端と前記第１および第２パッチの一端との間に印加される、請求項１１のデュアルバンドマイクロストリップアンテナ。
【請求項１８】
前記アンテナは一方側に導電層を有する印刷回路基板から形成され、前記グラウンド部材の導電面は前記回路基板の第１のセグメントの一方側の前記導電層の部分を除去することにより形成され、前記パッチ手段の導電面は前記回路基板の第２のセグメントの一方側の前記導電層の部分を除去することにより形成され、前記回路基板の第１および第２セグメントは並行に離間した関係を有して取り付けられ、短絡部材が前記グラウンド部材の一端と前記第１および第２パッチの一端との間に印加される、請求項１２のデュアルバンドマイクロストリップアンテナ。
【発明の詳細な説明】
【０００１】
【発明の属する技術分野】
本発明はデュアルバンドアンテナに関し、エレメントの表面領域の輪郭が実質的にデュアルバンドの信号によりエレメントに作られた誘導電流のパターンに実質的に相当するように構成されたグラウンドとパッチエレメントを有するデュアルバンドマイクロストリップアンテナを提供する。
【０００２】
【従来の技術】
デュアルバンドマイクロストリップアンテナの１つの重要な用途は移動通信システムにある。そのような用途におけるアンテナの共通の構成はジ・ドン・リュー（Zi Dong Liu）およびピーター・エスホール(Peter S. Hall)による２つの文献に記載される逆Ｆ字形状である。第１の文献は「ハンドヘルドポータブル電話のためのデュアルバンドアンテナ」Electronics Letters, Vol. 32, No. 7, pp.609-610、１９９６年３月である。第２の（そしてより包括的な）文献は、「デュアル周波数平面逆Ｆ字形アンテナ」、IEEE Transactions on Antennas and Propagation, Vol. 45, pp.1451-1457（１９９７年１０月）である。
【０００３】
ＬｉｕとＨａｌｌは２つのデュアル周波数バンドアンテナ構成を記載している。一方は、単一の入力ポートを有するものであり、他方は２つの入力ポートを有するものである。２ポートアンテナは２つのコプレーナ放射素子から構成される。第１の素子は方形であり、第２の素子はＬ字状であり、２つの側面が第１の素子に隣接している。方形素子は１．８ＧＨｚ信号用であり、Ｌ字状素子は０．９ＧＨｚ信号用である。このデュアルバンドアンテナの構成は、０．９ＧＨｚ信号用のシングルバンド逆Ｆ字アンテナとほぼ同じサイズである。方形素子およびＬ字状素子は共に一端がグラウンド面に短絡されている。２つの放射素子は接続されていないので、２つのアンテナ間の結合は小さく、フリンジフィールド相互作用によるのみである。変形例は方形素子とＬ字状素子との間の接続の中間点に接続される単一入力ポートを有する。これは単一の入力ポートのみを用いるという利点を有するが、この構成は、方形素子とＬ字状素子との間の結合が増大するという欠点を有する。
【０００４】
【課題を解決するための手段】
ＬｉｕとＨａｌｌのデュアル周波数バンドアンテナの変形例と同様に、本発明のアンテナは単一ポートを有した複数の放射素子を利用する。しかしながら、ＬｉｕとＨａｌｌのアンテナと異なり、本発明のアンテナの複数の放射素子は接続されていない。本発明のアンテナは、ＬｉｕとＨａｌｌに対して２つの短絡点しか有さず、さらに増大した帯域を有するという利点を有する。さらに、表面電流をほとんどあるいは全く伝播しない放射素子およびグラウンド素子の部分は取り除かれ、その結果重さが軽くなり、透明度が高くなる。さらなる利点は、本発明のデュアルバンドアンテナはフレキシブル印刷回路基板を用いて低価格で大量生産できるということである。
米国特許第５，３６５，２４６号(Siemens Aktiengesellechaft)は携帯用電気製品のための送信および／または受信構成を開示する。一実施形態（図５）において、３つのシートメタル角２、３および９が接続されたシールド筐体１から延伸し、信号フィードライン４はそれらの角のうちの真中の角（角９）と接続する。この構成は、中央のパッチがグラウンドに接続されない本発明とは異なる。Ｙ．Ｋ．Ｃｈｏ他著による文献「Ｅ面ギャップカプリングを用いた広域方形マイクロストリップアンテナ形状のための改良された解析方法」Electronic Letters. Vol.29 No. 22(１９９３年１０月２８）は、その文献の図３に示されるように、中央パッチの放射エッジに、グラウンド部材と、静電結合された短絡された寄生外側パッチを有したアンテナを開示する。この文献は、マイクロストリップアンテナの帯域を改善するために使用される結合スロットの解析に言及する。このアンテナはシングルバンドでのみ動作し、結合はそのバンドの帯域を改良するために使用される。各外側パッチは、中央パッチに接触する他方側のパッチと反対の一方側のエッジの全長にわたってグラウンドに短絡される。これは外側パッチ対が各々一端を介してグラウンドに短絡される本発明とは異なる。
【０００５】
一形態において、本発明は、グラウンド部材と、概ね互いに平行でありグラウンド部材から離間した分離した第１および第２の部分を有するパッチ手段とを含むデュアルバンドマイクロストリップアンテナである。このパッチ手段とグラウンド部材は、アンテナがアクティブのときにパッチ手段とグラウンド部材との間の電磁相互作用による第１および第２の共振周波数レンジをアンテナが有するように構成される。パッチ手段のその部分の導電面は、加工前のアンテナがアクティブなときに導電面において検出され得る電流フローのパターンに実質的に相当するように加工される。グラウンド部材の導電面も同様に形成することができる。
【０００６】
アンテナにおいて、パッチ手段の側面と一端はそれぞれグラウンド部材の側面と一端に合わせられる。パッチ手段の第１の部分は第１のパッチであり、パッチ手段の第２の部分は１対の第２パッチであり、各パッチは第１のパッチの各対向する側面に隣接する側面を有する。アンテナ信号のフィードラインは概ね第１のパッチの中心位置に接続される。第１のパッチはグラウンド部材に直接接続されず、短絡部材は第２パッチの一端とグラウンド部材に近接した点において、各第２パッチからグラウンド部材に延伸している。
【０００７】
各第２パッチは第１パッチの長さに近似する長さと第１パッチの幅の１／２に近似する幅を持つことができる。第１のパッチは概ね'Ｈ'として構成することができ、第１パッチの側面は'Ｈ'の側面部材に対応する。
【０００８】
第１の構成において、グラウンド部材の導電面は間隙がある概ね矩形の構造として構成してもよい。橋架部はアンテナ信号のフィードラインが第１のパッチに接続する位置の突出部において、その構造の側面間に延伸している。第２の構成において、グラウンド部材の導電面は２つの側面部材と他の一端の部材により定義してもよい。橋架部はアンテナ信号のフィードラインが第１のパッチに接続する位置の突出部においてその２つの側面部材間に延伸している。第２の構成において、第１パッチの側面部材の延伸はパッチ手段の一端からグラウンド部材の平面に延伸し、そしてグラウンド部材の面内において、橋架部に向かう距離の一部分延伸している。
【０００９】
ケーブルのグラウンド部分がグラウンド部材の橋架部に接続されるように、そしてケーブルの信号フィード部分が第１パッチに取り付けられたアンテナ信号フィードラインを定義するように同軸ケーブルをアンテナに取り付けることができる。
【００１０】
アンテナは一方側に導電層を持つ印刷回路基板から形成することができる。グラウンド部材の導電面は回路基板の第１セグメントの一方側の導電層の部分を取り除くことにより形成される。パッチ手段の導電面は基板の第２セグメントの一方側の導電層の部分を取り除くことにより形成される。次に、回路基板の第１および第２のセグメントが並列に離間して取り付けられる。第１の構成において、短絡部材は、グラウンド部材と、グラウンド部材の一端に近似する第２のパッチと第２のパッチとの間に印加され、同様に、第２の構成において、短絡部材はグラウンド部材の一端と第１および第２のパッチの一端との間に印加される。
【００１１】
他の形態において、本発明はグラウンド部材とパッチ手段の第１および第２の部分を含むデュアルバンドマイクロストリップアンテナである。パッチ手段は概ねグラウンド部材と並列に離間された関係を有する。第１および第２の共振周波数レンジはパッチ手段とグラウンド部材との間の電磁相互作用により定義される。パッチ手段の側面と一端はそれぞれグラウンド部材の側面と一端に合わされている。パッチ手段の第１の部分は、第１パッチであり、パッチ手段の第２の部分は１対の第２パッチであり、各々は第１パッチの各対向する側面に隣接して位置している。各第１および第２パッチの一端はパッチ手段の一端に対応する。アンテナ信号フィードラインは概ね第１パッチ上の中央位置に接続される。そして、短絡部材は各第２パッチから、第２パッチの一端とグラウンド部材に近似する突出部において、グラウンド部材に延伸している。
【００１２】
【発明の実施の形態】
本発明は添付図面を利用した好適実施形態の手段により、一例としてのみより完全に説明する。
【００１３】
始めに図１を参照すると、単一周波数帯域上で動作する典型的な従来の逆Ｆ字アンテナは、高さＨの短絡プレート２４を介して長さＰのパッチプレート２２に接続された長さＬのグラウンドプレート２０を有する。３つのプレート２０、２２、および２４はすべて幅Ｗを有する。フィードピン２６は、そのグラウンドワイヤがグラウンドプレート２０に接続された同軸ケーブル（図示せず）の中心ワイヤの延長であり、パッチプレート２２上の中心位置に接続する。パッチプレート２２の長さＰはアンテナの周波数帯域のミッドレンジにおける１／４波長に近似する。グラウンドプレート２０の金属面は携帯電話またはアンテナが使用される他の装置の金属側面により提供し得る。
【００１４】
グラウンドプレートおよび放射パッチから金属を取り除く前に、図２に示すように、デュアルバンドマイクロストリップアンテナの実施形態は、グラウンドプレート３０、中央パッチプレート３２、１対の側面パッチプレート３４、および１対の短絡ストリップ３６を有する。各短絡ストリップ３６は各側面パッチプレート３４をグラウンドプレート３０に接続する。フィードピン３８は図１のフィードピン２６と同様に同軸ケーブル（図示せず）の中心ワイヤの延長であり、中央パッチプレート３２の中心位置に接続する。同軸ケーブルのグラウンドワイヤはグラウンドプレート３０に接続される。フィードピン３８の接続点とパッチプレート３２および３４の長さは、所望のアンテナ帯域および同軸ケーブルとの５０オームインピーダンスマッチングが得られるまで実験的に調節される。図示するように、側面パッチプレート３４は各々幅が狭く、中央パッチプレート３２よりもわずかに短い。図２は、図１１および図１２に示す放射パターンに対して適用するＸ−Ｙ−Ｚ座標系に対するアンテナの方向を示す。
【００１５】
図２のアンテナの導電材料上の表面電流が９２５ＭＨｚ（図３）および１８００ＭＨｚ（図４）の周波数レンジで測定されると、いずれの周波数レンジにおいても導電材料の広い面積においてほとんどあるいは全く表面電流が存在しないことがわかった。それゆえ、導電材料のこれらの領域は重さに寄与するが、アンテナの性能には寄与しない、そして取り除くことができる。その材料を除去することにより、帯域を改善することが発見された。
【００１６】
図５は関心のある２つの周波数帯域に表面電流がほとんどあるいは全く流れないことが発見された導電材料を取り除いた後の図２のアンテナを示す図である。同軸ケーブルのような信号キャリアが接続される橋架部４０を除いてグラウンドプレート３０の中央部分が除去されている。中央パッチプレートの２つの中央セクションも取り除かれている。この結果中央パッチプレート３２は'H'の構成を有している。
【００１７】
図６に示すアンテナの実施形態は図５に示すそれと、各部の参照符号は同じであるが、短絡手段を除き短絡手段のタイプおよび配置の点において異なる。図６の実施形態の各短絡ピン４２はグラウンドプレート３０の端部とパッチプレート３４の各側面の端部との間に接続されておらず、両端から取り除かれた位置に接続されるという点において、短絡手段は図５と６の実施形態間で異なる。各短絡ピン４２は（図７および図８に示すように）グラウンドプレート３０の穴４４と各側面パッチプレート３４の穴４６との間に延伸している。信号フィードピン３８は橋架部４０の大きな穴４８を介して延伸している。グラウンド導電プレートの上面図が図７に示され、パッチプレートの上面図が図８に示される。図６のアンテナの側面図または断面図が図９に示され、同軸ケーブルあるいは他の信号キャリアをグラウンドプレート３０に接続するためのコネクタが示される。
【００１８】
図７乃至図９において、矢印に隣接する番号は、この好適実施形態のアンテナにおけるグラウンドプレート３０とパッチプレート３２，３４の寸法ならびにそれらの相対的間隔をミリメートルで表している。グラウンドプレートは長さが１３．５ｃｍで幅２０ｃｍであり、中央パッチプレート３２は長さが８６．７５ｍｍで幅８ｍｍであり、側面パッチプレートは各々長さが８２ｍｍで幅が３ｍｍである。中央パッチプレート３２と各側面パッチプレート３４との間の間隔の幅は２ｍｍである。短絡ピン４２が接続される穴４４および４６の各々は各グラウンドプレート３０の端部および側面パッチプレートから１２ｍｍである。
【００１９】
図１０は図２および図５のアンテナ間の反射減衰量の差分を示す。２つの共振周波数において、金属が除去されたアンテナ（実線）の反射減衰量は、金属を除去しないアンテナ（破線）の反射減衰量より大きいように見ることができる。図６乃至図９のアンテナ実施形態のための（図２の座標システムに関連して）ＹＺ平面およびＸＺ平面の測定された放射パターンがそれぞれ図１１および図１２に示される。
【００２０】
図１３は本発明のアンテナのさらなる好適実施形態を示す。図６乃至図９に示す実施形態と以下の点で異なる。すなわち中央パッチプレート３２は、間隙があるグラウンドプレート３０の一端が取り除かれ、中央パッチプレート３２の側面がグラウンドプレート３０の面を横切ってそしてその面における橋架部４０に向けて途中まで延伸しているラップアラウンド構成を有する。デュアルバンドマイクロストリップアンテナはグラウンドプレートと、さらに１対の側面パッチ間に位置する中央パッチを有する。アンテナは、中央パッチに接続された単一の信号フィードラインを有し、側面パッチはグラウンド素子に短絡される。信号放射からの表層流を伝達するグラウンドプレートとパッチの導電面の輪郭は、無視できない量の表層流を伝達する導電面の部分のみが維持されるように定められる。このアンテナは、９２５ＭＨｚおよび１８００ＭＨｚレンジで動作する従来のアンテナに対して重さが軽減し、帯域が改良される。
【００２１】
好適実施形態について本発明を説明したが、使用された文言は限定よりも記載の文言であり、添付したクレームにより定義されたその範囲を逸脱することなく、種々の変更が可能である。
【００２２】
この明細書（明細書はクレームも含む）に開示されたおよび／または図面に示された各特徴は他の開示されたおよび／または図示された特徴に独立して本発明に組み込まれる。
【００２３】
これとともにファイルされたアブストラクトのテキストは明細書の一部としてここに反復される。
【００２４】
デュアルバンドマイクロストリップアンテナはグラウンドプレート、および１対の側面プレート間に位置する中央パッチを有する。アンテナは中央パッチに接続された単一信号フィードラインを有し、側面パッチはグラウンドエレメントに短絡されている。信号放射から表面電流を伝播するグラウンドプレートとパッチの導電面は、無視し得る量の表面電流以上を伝播する導電面の部分のみが維持されるように輪郭が作られる。このアンテナは９２５ＭＨｚおよび１８００ＭＨｚのレンジで動作する一般的なアンテナに対して重さが軽減され、帯域が改良される。
【図面の簡単な説明】
【図１】  単一周波数帯域に対して動作するように適合した典型的な従来の逆Ｆ字形アンテナの斜視図である。
【図２】  本発明のデュアルバンドマイクロストリップアンテナの実施形態の斜視図である。
【図３】  ９２５メガヘルツの放射周波数において図２のアンテナ上の表面電流を示す図である。
【図４】  １８００メガヘルツの放射周波数において図２のアンテナ上の表面電流を示す図である。
【図５】  本発明のマイクロストリップアンテナの他の実施形態の斜視図であり、アンテナは図２と同様であるが余分な金属がグラウンドプレートおよびパッチプレートから取り除かれている。
【図６】  本発明のマイクロストリップアンテナのさらなる実施形態であり、アンテナは図５のアンテナのバージョンがわずかに変形されている。
【図７】  本発明のアンテナのさらなる実施形態のグラウンドプレートの上面図である。
【図８】  本発明のアンテナのさらなる実施形態のパッチの上面図である。
【図９】  本発明のマイクロストリップアンテナのさらなる実施形態の側面図または断面図である。
【図１０】  図２および図５に示すアンテナの反射減衰量を示すグラフである。
【図１１】  ９２５ＭＨｚおよび１８００ＭＨｚで測定した図６乃至図９に示される実施形態のアンテナのためのＹＺ平面（図２に示す軸方向に基づいて）において得られた放射パターンの説明図である。
【図１２】  ９２５ＭＨｚおよび１８００ＭＨｚにおいて測定した図６乃至図９に示す実施形態のアンテナのためのＸＺ平面（図２に示す軸の方向に基づいて）において得られた放射パターンの説明図である。
【図１３】  本発明のデュアルバンドアンテナのさらなる実施形態の説明図であり、アンテナはラップアラウンド第１パッチを有する。
【符号の説明】
２０・・・グラウンドプレート
２２・・・パッチプレート
２４・・・短絡プレート
３０・・・グラウンドプレート
３２・・・中央パッチプレート
３４・・・１対の側面パッチプレート
３６・・・１対の短絡ストリップ
３８・・・フィードピン
４０・・・橋架部
４２・・・短絡ピン
４４、４６、４８・・・穴
【図１】
0004695319.tif 000002
【図２】
0004695319.tif 000003
【図３】
0004695319.tif 000004
【図４】
0004695319.tif 000005
【図５】
0004695319.tif 000006
【図６】
0004695319.tif 000007
【図７】
0004695319.tif 000008
【図８】
0004695319.tif 000009
【図９】
0004695319.tif 000010
【図１０】
0004695319.tif 000011
【図１１】
0004695319.tif 000012
【図１２】
0004695319.tif 000013
【図１３】
0004695319.tif 000014